(57)【要約】【課題】  新聞を傷つけることがないうえに閲覧し易いように閉じておくことができ、また、保管も容易な新聞用バインダを提供する。【解決手段】  新聞大よりわずかに大きい表板部２と裏板部３とが折畳自在に連繋された状態となるように折曲縁部４から２つ折りされ、且つ、前記表板部２の一側には折曲縁部４に達するクリップ取付用の切込長窓５を所要の間隔をおいて複数個配設した保形板材よりなるバインダ本体１と、前記した各切込長窓５に収まる大きさで断面略コ字状をした複数個のクリップ１１とよりなり、また、前記表板部２と裏板部３の縦中央にそれぞれ横方向に４つ折りする中央折曲部６、７を形成する。【選択図】  図１
2005144789.tif 000002
【特許請求の範囲】
【請求項１】
新聞大よりわずかに大きい表板部（２）と裏板部（３）とが折畳自在に連繋された状態となるように折曲縁部（４）から２つ折りされ、且つ、前記表板部（２）の一側には折曲縁部（４）に達するクリップ取付用の切込長窓（５）を所要の間隔をおいて複数個配設した保形板材よりなるバインダ本体（１）と、前記した各切込長窓（５）に収まる大きさで断面略コ字状をした複数個のクリップ（１１）とよりなり、また、前記表板部（２）と裏板部（３）の縦中央にそれぞれ横方向に４つ折りする中央折曲部（６）、（７）を形成したことを特徴とする新聞用バインダ。
【請求項２】
バインダ本体（１）を、表シート（８１）と裏シート（８２）との間に多数の縦長中空部（８３）が両シートを繋ぐ隔壁（８４）を介して区画形成されているプラスチック段ボール板材(８)からなる保形板材よりなるものとして、前記バインダ本体（１）の裏板部（３）のうち各切込長窓（５）に臨む部分（３ａ）に前記クリップ（１１）を裏板部（３）の材質のもつ弾性により前記部分（３ａ）を圧縮させて差し込んだことを特徴とする請求項１に記載の新聞用バインダ。
【請求項３】
プラスチック段ボール板材（８）の表シート（８１）又は裏シート（８２）のうちどちらか一方にこれを２分する部分が剥除されて、折曲縁部（４）が他方の裏シート（８２）又は表シート（８１）により形成されている請求項２に記載の新聞用バインダ。
【請求項４】
バインダ本体（１）の折曲縁部（４）の上端部に基端を固定した紐材（１５）に複数個のクリップ（１１）が連繋されている請求項１又は２又は３のいずれかに記載の新聞用バインダ。
【請求項５】
表板部（２）と裏板部（３）とが重ね合わされているバインダ本体（１）を中央折曲部（６）、（７）により４つ折りして挟み込む樋状受部（２１）を有するバインダ受け（２０）が組み合わされている請求項１又は２又は３又は４のいずれかに記載の新聞用バインダ。
【発明の詳細な説明】
【技術分野】
【０００１】
本発明は、ホテル、レストランその他の新聞を閲覧させる場所において、新聞を傷つけることがないうえに閲覧し易いように閉じておくことができ、また、保管も容易な新聞用バインダに関するものである。
【背景技術】
【０００２】
ホテル、レストランその他の新聞を閲覧させる場所において用いられている従来の新聞用バインダは、新聞の一側を上下より細幅の板で挟んで上下の板に挿通される綴じ具で綴じ込むようにしたものを普通とするため、短時間のうちに綴じ込み部分から新聞が傷つけられたり、綴じ込みが解けたりしがちであり、しかも、上下の板で新聞の一側部分が挟まれてこの部分が読みにくくなるなどの問題があった。そこで、本出願人は保形板材よりなるバインダ本体とクリップを組み合わせた新聞用バインダを提案した（特許文献１参照）。ところが、この新聞用バインダは前記の問題を解決したが、新聞大のまま保管するため場所どる問題があり、また、新聞を手にもって読む場合に大きいため片手のみにより保持することができない問題がある。
【特許文献１】特開２００２−２９３０８３公報
【発明の開示】
【発明が解決しようとする課題】
【０００３】
本発明が解決しようとするところは前記したような問題を解決して、ホテル、レストランその他の新聞を閲覧させる場所において、新聞を傷つけることがないうえに閲覧し易いように閉じておくことができ、さらには、保管に場所どることなく、また、片手のみにより保持して新聞を読むことのできる新聞用バインダを提供することにある。
【課題を解決するための手段】
【０００４】
前記した課題を解決した本発明の新聞用バインダは、新聞大よりわずかに大きい表板部と裏板部とが折畳自在に連繋された状態となるように折曲縁部から２つ折りされ、且つ、前記表板部の一側には折曲縁部に達するクリップ取付用の切込長窓を所要の間隔をおいて複数個配設した保形板材よりなるバインダ本体と、前記した各切込長窓に収まる大きさで断面略コ字状をした複数個のクリップとよりなり、また、前記表板部と裏板部の縦中央にそれぞれ横方向に４つ折りする中央折曲部を形成したものを基本構成とする。そして、このような新聞用バインダにおいて、バインダ本体を、表シートと裏シートとの間に多数の縦長中空部が両シートを繋ぐ隔壁を介して区画形成されているプラスチック段ボール板材からなる保形板材よりなるものとして、前記バインダ本体の裏板部のうち各切込長窓に臨む部分に前記クリップを裏板部の材質のもつ弾性により前記部分を圧縮させて差し込んだことを特徴とするものを請求項２に記載の発明とする。そして、この請求項２に記載の発明おいて、プラスチック段ボール板材の表シート又は裏シートのうちどちらか一方にこれを２分する部分が剥除されて、折曲部が他方の裏シート又は表シートにより形成されているものを請求項３の発明とし、また、これらの発明において、バインダ本体の折曲縁部の上端部に基端を固定した紐材に複数個のクリップが連繋されているものを請求項４の発明とする。さらに、前記これらの発明において表板部と裏板部とが重ね合わされているバインダ本体を中央折曲部により４つ折りして挟み込む樋状受部を有するバインダ受けが組み合わされているものを請求項５の発明とする。
【発明の効果】
【０００５】
前記のような請求項１のように構成された発明においては、バインダ本体を開いて表板部と裏板部との間に新聞を挟んで閉じて、クリップを裏板部の切込長窓に対応する部分に装着して新聞の綴じ込みを行うことにより、常時は新聞を閲覧個所に表紙付きとして体裁よく整理しておくことができ、また、新聞閲覧時には、折曲部より表板部を展開すれば、新聞はその一側が部分的にクリップで覆われるだけで印刷部分は完全に露呈されるうえ、めくったときにはめくり頁を表板部が受け止めることとなるので、例え座ったまま膝上に載せて読んだとしても表板部や裏板部が新聞を平らのまま保形するので皺寄ることもなくて閲覧が容易であり、しかも、多くの人が乱雑に取扱っても綴じ込み部分から新聞が傷つけられたり、綴じ込みが解けたりすることもない。
【０００６】
また、この発明は表板部と裏板部の縦中央にそれぞれ横方向に４つ折りする中央折曲部を形成したものであるから、新聞を読む場合に表板部を折曲縁部を起点に裏側に引き回して裏板部に重ね合わせたうえ新聞を表側になるように４つ折りできるので、片手で保持して新聞を読むことができ、他方の手でコーヒーを飲むことができるものである。さらに、４つ折りすれば、週刊誌大の幅と略同じとなり市販されているマガジンスタンドに場所どることなく表板部と裏板部の保形性により腰折れすることなく立てた状態で保管できる。また、一般の本棚の奥行に納まるサイズとなるのでクリップの背面に新聞名、発行年月日を記しておくことにより、図書館等で保管するのにも適したものである。
【０００７】
請求項２の発明にあっては、バインダ本体を、表シートと裏シートとの間に多数の縦長中空部が両シートを繋ぐ隔壁を介して区画形成されているプラスチック段ボール板材よりなるものとしたので軽量なものとなる。また、裏板部のうち各切込長窓に臨む部分に前記クリップを裏板部の材質のもつ弾性により前記部分を圧縮させて差し込んだものであるから、新聞はクリップ自身の材質のもつ弾性のみならずこの裏板部の縦長中空部による弾性との相乗効果で新聞をより強く挟持でいるものであり、さらに、新聞を挟まない状態でもクリップは前記部分を的確に挟持して離脱する虞のないものである。    
【０００８】
請求項３の発明にあっては、プラスチック段ボール板材の表シート又は裏シートのうちどちらか一方にこれを２分する部分が剥除されて、折曲線が他方の裏シート又は表シートにより形成されているので、製作が容易なものとなる。
【０００９】
請求項４の発明にあっては、複数個のクリップがバインダ本体の折曲縁部の上端部に基端を固定した紐材に連繋されているので、バインダ本体からクリップを離脱させても紛失する虞がなく、また、紐材の先端に位置するクリップを引き出すことにより他のクリップが紐材に引っ張られて自動的に取り外すことができるものである。
【００１０】
請求項５の発明にあっては、表板部と裏板部とが重ね合わされているバインダ本体を折曲部により４つ折りして挟み込む樋状受部を有するバインダ受けが組み合わされているので、該バインダ受を壁面、ボード等に取り付けることにより簡単に保管できるものである。
【発明を実施するための最良の形態】
【００１１】
次に、本発明の好ましい実施の形態を図面に基づき説明する。
１は保形板材よりなるバインダ本体、１１は断面略コ字状をしたクリップである。
前記したバインダ本体１は新聞の一頁大よりわずかに大きいすなわち縦約５５０ｍｍ、横約４２０ｍｍの表板部２の一側に該表板部２と同大の裏板部３を折曲縁部４を介して折畳自在に連繋したものであって、このバインダ本体１の表板部２の一側には縦長の角形をした切込長窓５が前記した折曲部４に達するようにして上下に所要の間隔をおいて複数個配設してある。
【００１２】
一方、前記したクリップ１１は、バインダ本体１の前記した各切込長窓５に収まる大きさの角形の表押板部１２ａの一側に角形の裏押板部１２ｂを細幅の折返背板部１３を介して一体成形して先端側の間隔を狭めた断面略コ字状としたポリプロピレン樹脂などの合成樹脂材よりなる成形品で、このクリップ１１は自身の材質のもつ弾性により表板部と裏板部との間に新聞等の紙類を挟持できるものとしてあり、表押板部１２ａまたは／および裏押板部１２ｂの一端縁は傾斜ガイド部１４に形成されていて挟み込みを容易にしてある。また、クリップ１１をこのように構成したことにより、新聞交換時におけるクリップ１１の取り外しも該クリップ１１を外側に引き出すだけの簡単な操作により行うことができる。また、図1に示すように複数のクリップ１１を紐材１５により連繋して紐材１５の基端をバインダ本体１の折曲縁部４の上端部に固定すれば、クリップ１１をバインダ本体１から離脱させた場合にも紛失する虞もないものである。さらに、紐材１５により連繋することにより該紐材１５の先端に位置するクリップ１１を引き出すことにより他のクリップ１１が紐材１５に引っ張られて自動的に取り外すことができるものである。なお、クリップ１１は前記した合成樹脂材よりなる成形品よりなるものに限定されることなく、ステンレス板材、鋼板材を断面略コ字状に折曲形成して、表押板部１２ａ、裏押板部１２ｂ及び折返背板部１３並びに傾斜ガイド部１４を形成したものとしてもよい。
【００１３】
また、バインダ本体１の表板部２と裏板部３の縦中央にそれぞれ横方向に４つ折りする中央折曲部６、７を設けている。この内中央折曲部６は表板部２の縦中央に約２０ｍｍの幅の折返板部６ｃを挟んで設けた折曲部６ａ、６ｂにより、また、中央折曲部７は裏板部３の縦中央に約２０ｍｍの幅の折返板部７ｃを挟んで設けた折曲部７ａ、７ｂにより形成したものである。
【００１４】
なお、図１〜図８に示すものは、バインダ本体１を構成する保形板材を、表シート８１と裏シート８２との間に多数の縦長中空部８３が両シートを繋ぐ隔壁８４を介して区画形成されているプラスチック段ボール板材８よりなるものとして、前記バインダ本体１の裏板部３のうち各切込長窓５に臨む部分３ａに前記クリップ１１を裏板部３の材質のもつ弾性により前記部分３ａを圧縮させて差し込んだものとしている。  
【００１５】
また、このようにバインダ本体１を構成する保形板材をプラスチック段ボール板材８よりなるものとしたことにより、図２、図４に示すように該プラスチック段ボール板材８の表シート８１又は裏シート８２のうちどちらか一方にこれを２分する部分が剥除されて、折曲縁部４がの残された他方の裏シート８２又は表シート８１により形成したものとすることができる。また、前記、表板部２と裏板部３の縦中央にそれぞれ設けた中央折曲部６、７を形成する折曲部６ａ、６ｂ及び折曲部７ａ、７ｂも図５に示すように該プラスチック段ボール板材８の表シート８１又は裏シート８２のうちどちらか一方を剥除して、残された他方の裏シート８２又は表シート８１により形成したものとすることができる。
【００１６】
さらに、図１２及び図１３に示すように表板部２と裏板部３とが重ね合わされているバインダ本体１を中央折曲部６、７により４つ折りして挟み込む樋状受部２１を有するバインダ受２０を組み合わせることもできる。
【００１７】
このように構成されたものは、バインダ本体１を開いて表板部２と裏板部３との間に挟んだ新聞イをその一側の折り目が折曲縁部４の付近にあるようにして挟んで閉じれば、新聞イはその殆どが表板部２に覆われて僅かにバインダ本体１の表板部２の一側に配設されている切込長窓５に臨む部分が露呈されるから、この露呈部分がバインダ本体１の裏板部３に挾持されるようにクリップ１１を裏板部３の前記した切込長窓５に対応する部分３ａに装着すれば、ここに新聞イの綴じ込みが終了する。
【００１８】
このようにしては新聞イを綴じ込んでおくことにより、常時は新聞イを閲覧個所に体裁よく整理しておくことができ、また、新聞閲覧時には、折曲縁部４より表板部２を展開すれば、新聞イはその一側が部分的にクリップ１１の表板部２で覆われるだけで印刷部分は完全に露呈されるうえ、めくったときにはめくり頁を表板部２が受け止めることとなるので、たとえ座ったまま膝上に載せて読んだとしても表板部２や裏板部３が新聞イを保形するので皺寄ることもなくて閲覧が容易であり、しかも、多くの人が乱雑に取扱っても綴じ込み部分から新聞が傷つけられたり、綴じ込みが解けたりすることもない。
【００１９】
また、バインダ本体１の表板部２と裏板部３の縦中央にそれぞれ横方向に４つ折りする中央折曲部６、７を設けているから、新聞を読む場合に表板部２を折曲縁部４を介して裏側に引き回して裏板部３に重ね合わせたうえ新聞を表側になるように２つ折りすれば横幅が２１０ｍｍ程になるので、図９に示すように片手で保持して新聞を読むことができ、空いている他方の手でコーヒーを飲むことや或いはメモをすることができるものである。
【００２０】
さらに、この中央折曲部６、７があることにより、新聞を綴じたまま表板部２と裏板部３のどちらか一方を内側に他方を外側にして図７、図８に示すように４つ折りできるので携帯性がよく新聞をもって移動しても人や物に当たる虞が少ないものである。なお、中央折曲部６、７を前記したように該中央折曲部６を表板部２の縦中央に約２０ｍｍの幅の折返板部６ｃを挟んで設けた折曲部６ａ、６ｂにより、また、中央折曲部７は裏板部３の縦中央に約２０ｍｍの幅の折返板部７ｃを挟んで設けた折曲部７ａ、７ｂより形成することにより、例えば、図７に示すように外側となる表板部２の中央折曲部６は折曲部６ａ、６ｂを夫々略９０度づつ折曲して折曲部６ａ、６ｂの折返板部６ｃを背板部に形成したコ字状となり、他方、内側となる裏板部３の中央折曲部７は折曲縁部４に近い折曲部７ａは３６０度近くまで折曲して折曲縁部４から遠い折曲部７ｂを折曲させることなく折返板部７ｃは裏板部３の先端側と直線状となるので容易に４つ折りできるものとしている。なお、表板部２を内側に裏板部３を外側にして４つ折りする場合にも折り方が逆となるが同様に折り畳むことができるものである。
【００２１】
また、このように４つ折りすることにより、横幅が２１０ｍｍ程になるから図１０に示すようにマガジンスタンド（ロ）に表板部２と裏板部３の保形性により腰折れすることなく場所どることなく立てて収納することができるものである。また、市販されている一般の本棚の奥行に納まるサイズの２１０ｍｍ程の横幅となるので上下の棚板の間隔を５５０ｍｍ以上とることにより図１１に示すように本棚（ハ）に立てた状態で収納でき取り出しも容易であり、また、クリップ１１の折返背板部１３に新聞名、発行年月日を記しておくことにより、図書館などでの保管にも適したものである。
【００２２】
また、バインダ本体１を構成する保形板材を前記したようにプラスチック段ボール板材８よりなるものとすれば軽量なものとなり扱いが容易であり、さらに、コーヒー等の飲食物を誤って溢して汚染しても簡単に洗浄できるものである。なお、プラスチック段ボール板材８を透過性のあるものとすれば、綴じた新聞の種類、発行年月日を外側から確認でき、特に表板部２或いは裏板部３の新聞名等の表示をする必要がないものである。また、裏板部３のうち各切込長窓５に臨む部分３ａにクリップ１１を裏板部３の前記部分３ａを圧縮させて差し込んだものであるから、新聞はクリップ１１自身の材質のもつ弾性のみならずこの裏板部３のプラスチック段ボール板材８の縦長中空部８３のもつ弾性との相乗効果で新聞をより強く挟持できるものであり、さらに、新聞を挟まない状態でもクリップは前記部分３ａを的確に挟持して離脱する虞のないものである。
【００２３】
また、バインダ本体１をプラスチック段ボール板材８よりなるものとしたことにより、折曲縁部４及び中央折曲部６、７を形成する折曲部６ａ、６ｂと折曲線７ａ、７ｂを該プラスチック段ボール板材８の表シート８１又は裏シート８２のうちどちらか一方を剥除して、他方の裏シート８２又は表シート８１により形成したものとすることができるので製造が容易なものである。なお、これら折曲縁部４、折曲部６ａ、６ｂ及び折曲部７ａ、７ｂはプラスチック段ボール板材８のこれら折曲縁部、折曲部の位置する箇所を図６に示すように分離してこの間を繋ぐテープ状蝶番１００により形成してもよく、さらには、前記箇所を線状に熱溶着して折り目線を形成したものであってもよい。
【００２４】
なお、前記の実施形態ではバインダ本体１を構成する保形板材をプラスチック段ボール板材８よりなるものとしているが、これに限ることなく、例えば、紙製段ボールや軽量な板紙等であってもよく、このようなものにあってはいろいろな装飾印刷が可能である。また、この場合には、折曲縁部、折曲部は折り目線により形成して補強テープを貼付しても、或いは、前記したとおり折曲縁部、折曲部の位置する箇所を分離してこの間をテープ状蝶番１００により繋いでもよい。さらに、このように折曲縁部、折曲部の位置する箇所を分離してこの間をテープ状蝶番１００により繋ぐものにあっては、バインダ本体１全体を同材よりなる保形板材とすることなく分離した断片ごとに異なる保形板材に例えば、表板部２をプラスチック段ボール板材に裏板部３を広告印刷できる紙製段ボールや軽量な板紙とすることもできる。
【００２５】
また、表板部２と裏板部３とが重ね合わされているバインダ本体１を中央折曲部６、７により４つ折りして挟み込む樋状受部２１を有するバインダ受２０が組み合わすことにより、該バインダ受２０を図１３に示すように樋状受部２１の背面板２１ａに設けた取付孔２１ｂに取付ねじを挿通して壁面、ボード等（ニ）に取り付けることにより場所どることなく簡単に保管できるものである。
【図面の簡単な説明】
【００２６】
【図１】本発明の実施形態の一例を示す一部切斜視図である。
【図２】本発明の実施形態の要部を示す斜視図である。
【図３】バインダ本体を展開して示す一部切斜視図である。
【図４】プラスチック段ボール板材の表シート又は裏シートのうちどちらか一方を剥除して形成した折曲縁部を示す斜視図である。
【図５】プラスチック段ボール板材の表シート又は裏シートのうちどちらか一方を剥除して形成した中央折曲部を示す斜視図である。
【図６】バインダ本体の他例を展開して示す一部切斜視図である。
【図７】バインダ本体を４つ折りした状態を示す一部切欠斜視図である。
【図８】バインダ本体を４つ折りした状態を示す断面図である。
【図９】片手で新聞を読む状態を示す斜視図である。
【図１０】マガジンスタンドに収納した状態を示す斜視図である。
【図１１】本棚に収納した状態を示す斜視図である。
【図１２】新聞用バインダとバインダ受を示す斜視図である。
【図１３】新聞用バインダをバインダ受に収納した状態を示す斜視図である。
【符号の説明】
【００２７】
１  バインダ本体
２  表板部
３  裏板部
3a  部分
４  折曲縁部
５  切込長窓
６  中央折曲部
７  中央折曲部
８  プラスチック段ボール板材
81  表シート
82  裏シート
83  縦長中空部
84  隔壁
11  クリップ
20  バインダ受
21  樋状受部
【図１】
2005144789.tif 000003
【図２】
2005144789.tif 000004
【図３】
2005144789.tif 000005
【図４】
2005144789.tif 000006
【図５】
2005144789.tif 000007
【図６】
2005144789.tif 000008
【図７】
2005144789.tif 000009
【図８】
2005144789.tif 000010
【図９】
2005144789.tif 000011
【図１０】
2005144789.tif 000012
【図１１】
2005144789.tif 000013
【図１２】
2005144789.tif 000014
【図１３】
2005144789.tif 000015